(57)【要約】【課題】  電子辞書装置が備える記憶手段に記憶された情報の一部分のみを容易に参照可能にすることができる電子辞書装置を提供する。【解決手段】  電子辞書装置１は、入力手段２０と、検索手段を備えるＣＰＵ１０と、第１の見出し語情報を含む抽出対象のデータを記憶する抽出対象データ記憶手段４１と、抽出対象識別データを記憶する抽出データ記憶手段４２とを備える記憶手段４０と、入力手段２０から入力される第２の見出し語情報と、入力手段２０から入力される抽出対象のデータの抽出対象部分の識別情報とを対応付けて抽出対象識別データを生成する抽出対象識別データ生成手段１３とを備える。【選択図】  図１
2009175941.tif 000002
【特許請求の範囲】
【請求項１】
入力手段と、検索手段と、記憶手段とを備える電子辞書装置であって、
前記記憶手段が、第１の見出し語情報を含む抽出対象のデータを記憶する抽出対象データ記憶手段と、抽出対象識別データを記憶する抽出データ記憶手段とを備え、
前記入力手段から入力される第２の見出し語情報と、前記入力手段から入力される前記抽出対象のデータの抽出対象部分の識別情報とを対応付けて抽出対象識別データを生成する抽出対象識別データ生成手段を備える
ことを特徴とする電子辞書装置。
【請求項２】
前記抽出対象データ記憶手段は、前記第１の見出し語情報と、該第１の見出し語に関連する見出し語関連情報とを対応付けて、前記第１の見出し語ごとに抽出対象のデータを記憶し、
前記抽出対象識別データ生成手段は、前記抽出対象部分の抽出元となる見出し語関連情報に対応する前記第１の見出し語の識別情報を抽出元識別情報として、前記抽出対象識別データに付加する
ことを特徴とする請求項１に記載の電子辞書装置。
【請求項３】
前記抽出対象部分のデータから第２の見出し語候補を生成する見出し語生成手段をさらに備える
ことを特徴とする請求項１又は２いずれかに記載の電子辞書装置。
【請求項４】
前記抽出対象データ記憶手段が記憶する見出し語関連情報は、
任意の文字列からなる１又は複数のテキスト文書である
ことを特徴とする請求項１から３のいずれかに記載の電子辞書装置。
【請求項５】
前記抽出対象データ記憶手段が記憶する抽出対象のデータは、
辞書データである
ことを特徴とする請求項１から４のいずれかに記載の電子辞書装置。
【発明の詳細な説明】
【技術分野】
【０００１】
本発明は、辞書検索機能を備える電子辞書装置に関する。
【背景技術】
【０００２】
近年、携帯性に優れている点や、辞書を引く手間を大幅に短縮する点などの様々な利点から、国語辞典、漢和辞典、百科事典、英和辞書、和英辞書、英英辞書など、辞典や辞書の情報を記憶し、使用者の入力操作に基づき検索を行う電子辞書装置が、広く利用されている。
この電子辞書装置に関して、入力方法や、記憶されている辞典や辞書の種類や分量、検索方法、表示方法、表示手段などにおいて、様々な形態が提案されている。さらに、計算機機能などの辞書検索以外の機能を備えるもの、音声出力機能を備えるものなど、多種多様な機能を備えた電子辞書装置がある。
【０００３】
これらの電子辞書装置が備える辞書検索以外の機能の一つに、使用者によって選択された辞書データの見出し語部分を記憶させる単語帳機能がある。これにより、使用者は、記憶された見出し語及びその辞書データを、例えば英単語などの学習や、メモとして容易に参照可能となる。
また、見出し語Ａが複数の単語（例えば、単語ａ及び単語ｂ）を含む場合、この見出し語Ａの情報を、単語ａを見出し語とする辞書データと、単語ｂを見出し語とする辞書データとに付加し、記憶させておく技術がある（例えば、特許文献１）。これにより、見出し語Ａが有する単語ａ又は単語ｂのうちのいずれかを検索キーとしてユーザが検索の実行を入力すると、検索結果に基づき参照する単語の辞書データには、辞書データに付加された見出し語Ａの情報が記載されていることとなる。
【０００４】
また、辞書データの新規登録機能を備える電子辞書装置も提案されている。辞書データの新規登録機能は、検索語となる見出し語と、その見出し語に対応する関連情報（辞書データ）とを対応付けて、新たに辞書データとして記憶させる機能であり、これにより、電子辞書装置のユーザに、辞書データを登録可能な手段を提供する。
【特許文献１】特開平７−３０６８５８号公報
【発明の開示】
【発明が解決しようとする課題】
【０００５】
しかしながら、電子辞書装置が予め記憶している辞書データに情報を付加する場合や、単語帳機能を利用する場合、例えば、予め記憶している辞書データ内の一部の語句など、元の見出し語ではない語句を新たに見出し語として登録することはできない。また、見出し語に含まれない語句を見出し語として登録することはできない。これにより、辞書データに含まれる一部分のみを参照したい場合に、その一部分を参照するための単語帳に登録する見出し語は、元の見出し語又は元の見出し語の一部の単語などに限られるという問題がある。
【０００６】
本発明は、このような事情を考慮し、上記の問題を解決すべくなされたもので、その目的は、電子辞書装置が備える記憶手段に記憶された情報の一部分のみを容易に参照可能にすることができる電子辞書装置を提供することにある。
【課題を解決するための手段】
【０００７】
上記問題を解決するために、本発明は、入力手段と、検索手段と、記憶手段とを備える電子辞書装置に、記憶手段が、第１の見出し語情報を含む抽出対象のデータを記憶する抽出対象データ記憶手段と、抽出対象識別データを記憶する抽出データ記憶手段とを備え、入力手段から入力される第２の見出し語情報と、入力手段から入力される抽出対象のデータの抽出対象部分の識別情報とを対応付けて抽出対象識別データを生成する抽出対象識別データ生成手段を備えることを特徴とする電子辞書装置である。
【０００８】
また、本発明は、抽出対象データ記憶手段が、第１の見出し語情報と、該第１の見出し語情報に関連する見出し語関連情報とを対応付けて、第１の見出し語情報ごとに抽出対象のデータを記憶し、抽出対象識別データ生成手段が、抽出対象部分の抽出元となる見出し語関連情報に対応する第１の見出し語情報の識別情報を抽出元識別情報として、抽出対象識別データに付加することを特徴とする。
【０００９】
また、本発明は、抽出対象部分のデータから第２の見出し語候補を生成する見出し語生成手段をさらに備えることを特徴とする。
【００１０】
また、本発明は、抽出対象データ記憶手段が記憶する見出し語関連情報が、任意の文字列からなる１又は複数のテキスト文書であることを特徴とする。
【００１１】
また、本発明は、抽出対象データ記憶手段が記憶する抽出対象のデータが、辞書データであることを特徴とする。
【発明の効果】
【００１２】
本発明によれば、入力手段と、検索手段と、記憶手段とを備える電子辞書装置が、第１の見出し語情報を含む抽出対象のデータの抽出対象部分の識別情報と、入力手段から入力される第２の見出し語情報とを対応付けた抽出対象識別データを抽出対象識別データ生成手段が生成し、記憶手段に記憶することとした。
これにより、抽出対象のデータに含まれる第１の見出し語情報以外の語句を入力手段によって第２の見出し語情報として設定することが可能になるという効果がある。
【００１３】
また、この発明によれば、電子辞書装置が、抽出対象識別データに、抽出対象部分の抽出元のデータに付与された第１の見出し語情報の識別情報を抽出元識別情報として付加することとした。
これにより、第１の見出し語情報の識別情報に基づき、抽出対象部分の抽出元のデータを参照することが可能になるという効果がある。
【００１４】
また、この発明によれば、電子辞書装置が、抽出対象部分のデータから第２の見出し語候補を生成する見出し語生成手段をさらに備えることとした。
これにより、抽出対象部分のデータに含まれる語句から第２の見出し語情報の候補となる語句を電子辞書装置が生成することにより、ユーザに容易に第２の見出し語情報を設定させることが可能になるという効果がある。
【００１５】
また、この発明によれば、抽出対象データ記憶手段が記憶する見出し語関連情報が、任意の文字列からなる１又は複数のテキスト文書であることとした。
これにより、ユーザが作成したテキストデータなどのデータの一部分を抽出することが可能になるという効果がある。
【００１６】
また、この発明によれば、抽出対象データ記憶手段が記憶する抽出対象のデータが、辞書データであることとした。
これにより、テキスト文書だけではなく、辞書データの一部分を抽出することが可能になるという効果がある。
【発明を実施するための最良の形態】
【００１７】
まず、本発明を適用した電子辞書装置における、本発明の特徴となる抽出機能を実現する構成と、その動作について概要を説明する。本発明を適用した電子辞書装置１は、通常の電子辞書装置が備える辞書データの他に、コンピュータ装置などにより作成したテキストデータなど、使用者（ユーザ）によって電子辞書装置が予め備える入力インターフェイスを介して入力されたテキストデータと、後述の抽出データ識別情報とを記憶する記憶手段を備える。
【００１８】
そして、本発明を適用した電子辞書装置は、辞書データやテキストデータに含まれる文章の一部分など、ユーザによって選択された範囲を抽出対象範囲、すなわち、抽出対象部分として、この抽出対象部分の識別情報と、タイトル情報（見出し語情報）とを含む抽出データ識別情報を生成して、記憶手段に記憶する抽出機能を備える。これにより、例えば、辞書データの記事の一部分など、抽出データとして選択した範囲の情報をタイトル情報に基づき、ユーザが容易に参照することが可能になる。
【００１９】
次に、上述した本発明の抽出機能を実現する構成の一実施形態について、電子辞書装置１の具体的な構成を図面を参照して説明する。
図１は、本実施形態による電子辞書装置１の構成を示す概略ブロック図である。電子辞書装置１は、ＣＰＵ（central processing unit）１０と、入力手段２０と、表示手段３０と、記憶手段４０と、一時記憶手段５０を備える。
ＣＰＵ１０は、ＣＰＵ及び各種メモリから構成され、各部の制御や、データの一時的な格納や、データの転送等を行う。ＣＰＵ１０は、表示制御手段１１、抽出データ分解手段１２１と分解データ判定手段１２２とを備える見出し語生成手段１２、抽出対象識別データ生成手段１３を備える。なお、ＣＰＵ１０は、仮名漢字変換機能や、辞書検索機能などを図示しない基本機能処理手段として予め備えていることとする。
【００２０】
表示制御手段１１は、入力手段２０から入力される表示要求に基づき、表示手段３０を制御する。
見出し語生成手段１２において、抽出データ分解手段１２１は、抽出対象部分の文章を分解し、その文章を構成する全単語を抽出し、抽出した単語を分解データ一時記憶手段５１に記憶させる。見出し語生成手段１２において、分解データ判定手段１２２は、分解データ判定手段１２２が抽出した単語から、見出し語に不適な単語を除外する。
【００２１】
抽出データ分解手段１２１は、分解対象の文章が英文であれば、文章内のスペースを単語の区切りとし、分解対象の文章から単語を抽出する。また、抽出データ分解手段１２１は、辞書データ記憶手段４１１が記憶する辞書データに基づき、抽出した各単語の異なる形態を検索する。これにより、抽出データ分解手段１２１は、抽出対象の文章を分解する。
【００２２】
ここで、単語の異なる形態とは、例えば、過去形、過去分詞形、進行形、三人称単数現在形などの動詞であれば、その原形となる単語であり、複数形の単語であれば、その単語に対応する単数形の単語などである。抽出データ分解手段１２１は、抽出した単語と、抽出した単語の異なる形態の単語とを分解データ一時記憶手段５１に書き込む。
また、抽出対象の文章が日本語である場合、抽出データ分解手段１２１は、形態素解析を行い、抽出対象の文章を分解し、抽出対象の文章を構成する単語を抽出する。
【００２３】
分解データ判定手段１２２は、記憶手段４０の見出し不適語情報記憶手段４３に記憶されている見出し不適語情報を読み出し、抽出データ分解手段１２１が抽出した単語が、見出し不適語情報記憶手段４３に記憶されているか否かを判定する。分解データ判定手段１２２は、この判定結果に基づき、判定対象の単語が見出し不適語であるか否かを判定し、見出し不適語に該当しない単語を見出し語候補として判定することにより、除外処理を行う。
【００２４】
抽出対象識別データ生成手段１３は、抽出対象部分の見出し語情報と、抽出対象データ記憶手段４１の抽出対象部分の識別情報とを対応付けて抽出対象識別データを生成する。
入力手段２０は、キーボード、マウス、タッチパネル、ボタンやキーなどを備えており、これらのユーザによる入力操作を検出し、検出した入力操作に基づき、ユーザが入力した情報をＣＰＵ１０に出力する。
表示手段３０は、ＬＣＤ（liquid crystal display）などのディスプレイに画像や情報を表示する機能を有する。また、この表示手段３０にスピーカーを設けて音声を出力するようにしてもよい。
【００２５】
記憶手段４０は、辞書データ記憶手段４１１とテキストデータ記憶手段４１２とを備える抽出対象データ記憶手段４１と、抽出データ記憶手段４２と、見出し不適語情報記憶手段４３とを備える。
抽出対象データ記憶手段４１の辞書データ記憶手段４１１は、複数の記事で構成される辞書データを記憶する。辞書データは、例えば、英和辞書、和英辞書、国語辞典、漢和辞典などの辞書や辞典の情報である。これらの辞書データの各記事は、見出し語ごとに、見出し語と、見出し語に関連する見出し語関連情報とが対応付けられた情報である。
例えば、英和辞書の辞書データにおける記事であれば、見出し語は、英単語に対応し、見出し語関連情報は、その英単語の発音記号、品詞、日本語訳、例文、同義語、類義語、反義語などの見出し語に関連する情報に対応する。
【００２６】
図２は、辞書データ記憶手段４１１が記憶する辞書データのデータ構成例である。図２に示す辞書データの各記事は、記事の識別情報である単語Ｎｏ．（ナンバー）、検索用読み、表示用見出し語、解説の４つの情報で構成されている。ここで、検索用読みは、検索処理時に用いる見出し語の読み情報であり、例えば、表示用見出し語が漢字であれば、その漢字の読み情報となる。また、解説は、見出し語に対応する情報であり、上述の見出し語関連情報に対応している。
【００２７】
テキストデータ記憶手段４１２は、例えば、外部のコンピュータ装置で作成されたテキストデータや、ユーザによる文字キー２２の操作入力に基づいて入力されるテキストデータなど、ユーザが任意に入力するテキストデータをテキストデータごとに１つの記事として記憶し、また、複数の記事を記憶させることも可能である。また、テキストデータ記憶手段４１２に記憶されるテキストデータは、タイトルなどの個別の識別情報が付与されている。
【００２８】
抽出データ記憶手段４２は、見出し語情報と、検索する際に用いる当該見出し語の読み情報と、抽出データ識別ＩＤ（IDentification）とを対応付けた情報である抽出対象識別データを図３に示すテーブルとして記憶する。
図３は、抽出データ記憶手段４２が記憶する抽出対象識別データのテーブルのデータ構成の一例である。図３の、データＮｏ．は、抽出対象識別データごとに固有に付与される番号である。また、例えば、データＮｏ．「ＴＸ０００１」のテーブルには、検索する際に用いる見出し語の検索用読み情報「でんしじしょ」、見出し語となる、表示用見出し語「電子辞書」、抽出データ識別ＩＤ「ＣＤ０００１」がそれぞれ対応付けられた抽出対象識別データとして抽出データ記憶手段４２に記憶されている。
なお、検索用読み情報は、例えば、見出し語が文字キー２２の操作に基づきユーザによって設定された場合には、当該操作に基づく入力文字の情報を保持することにより、抽出対象識別データ生成手段１３が設定することでもよいし、形態素解析などの処理に基づき設定することでも良い。
【００２９】
ここで、抽出データ識別ＩＤは、抽出対象部分（抽出データ）を一意に識別するための識別情報である。本実施形態において、抽出データ識別ＩＤは、抽出元識別情報を含む識別情報である。抽出元識別情報とは、抽出対象データ記憶手段４１が記憶する辞書データやテキストデータの記事の識別情報である。抽出元識別情報の一例として、抽出元がテキストデータであれば、テキストデータのタイトルなどの識別情報であり、抽出元が辞書データであれば、抽出元の辞書種別、見出し語などによる識別情報である。
【００３０】
本実施形態において、抽出データ識別ＩＤの書式の一例として、図３の抽出データ識別ＩＤ「ＣＤ０００１」の、「ＣＤ」部分を、抽出元識別情報とする。したがって、データＮｏ．「ＴＸ０００２」のテーブルに記載されている抽出データ識別ＩＤ「ＣＥ０００１」の抽出元識別情報が「ＣＥ」であるため、データＮｏ．「ＴＸ０００１」と、データＮｏ．「ＴＸ０００２」との、抽出元のデータはそれぞれ異なる記事であることを意味している。
【００３１】
また、抽出データ識別ＩＤ「ＣＤ０００１」の、数字部分「０００１」は、抽出元のデータ内において設定される抽出対象部分ごとに固有の番号である。例えば、抽出元識別情報「ＣＤ」の抽出元データ内に、複数の抽出対象部分が設定されている場合には、他の抽出対象識別データには、抽出データ識別ＩＤ「ＣＤ０００２」など、抽出元識別情報が同一で、番号部分が異なる抽出データ識別ＩＤが生成されることとなる。
【００３２】
見出し不適語情報記憶手段４３は、見出し語に不適な単語が予め記憶されている。ここで、見出し語に不適な単語とは、見出し語の候補としてユーザに提示する場合に、見出し語としてユーザに選択される可能性が低い単語である。見出し語に不適な単語は、例えば、英単語であれば、前置詞や冠詞、ｂｅ動詞、助動詞など、単語そのものが特徴的な意味をもたない単語である。また、日本語の単語であれば、助詞や、感動詞などが見出し語に不適な単語として見出し不適語情報記憶手段４３に記憶されている。
一時記憶手段５０は、例えば、ＤＲＡＭ（Dynamic Random Access Memory）などの揮発性メモリであり、抽出データ分解手段１２１が出力する分解データを一時的に記憶する分解データ一時記憶手段５１を備える。
【００３３】
次に、電子辞書装置１が備える入力手段２０の構成について説明する。
図４は、電子辞書装置１の外観の構成例を示す図である。電子辞書装置１が備える入力手段２０は、電源をＯＮ／ＯＦＦするためのＯＮ／ＯＦＦキー２１、かなやアルファベットを入力するための文字キー２２、抽出処理の開始要求を入力するための抽出キー２３、カーソルを移動させるための方向キー２４、リンクされた他の見出し語の辞書データを参照し、表示させるための移動キー２５、かな漢字変換をさせるための変換キー２６、入力した情報を確定させたり、処理の実行を要求するための決定キー２７を備える。
【００３４】
＜抽出処理過程＞
次に、本発明の一実施形態による電子辞書装置１の動作について、抽出処理過程と、検索処理過程とについて説明する。図５は、本実施形態における電子辞書装置１の抽出処理過程の処理フローを示す。また、図６〜図１２は、抽出処理過程において表示手段３０によって表示される画面の遷移を示している。ここでは、テキストデータ記憶手段４１２に予め記憶されているテキストデータから、一部分を抽出する処理を例に説明する。
【００３５】
電子辞書装置１において、入力手段２０がユーザ操作に基づき、抽出対象のデータとして、記憶手段４０の抽出対象データ記憶手段４１が備えるテキストデータ記憶手段４１２が記憶するテキストデータの表示要求をＣＰＵ１０に入力する。この表示要求をうけると、ＣＰＵ１０において、表示制御手段１１は、テキストデータ記憶手段４１２からテキストデータを読み出し、読み出したテキストデータを表示手段３０に表示させる（ステップＳ１）。図６の画面３１ａは、ステップＳ１においてテキストデータを表示した際の表示手段３０の画面例である。
【００３６】
図６の画面３１ａのように、抽出対象のデータが表示手段３０に表示されている際に、ユーザ操作によって抽出キー２３が押下されると、入力手段２０は、ＣＰＵ１０に抽出開始要求を入力する（ステップＳ２）。抽出開始要求が入力されると、ＣＰＵ１０の表示制御手段１１は、位置選択のためのカーソルとともに、始点位置選択モードを開始したことを示す画面を表示手段３０に表示させる（ステップＳ３）。
始点位置選択モードにおいて、ユーザによる方向キー２４の押下に基づくカーソル移動後、ユーザによる決定キー２７の押下を検出すると、入力手段２０は、検出結果をＣＰＵ１０に入力する（ステップＳ４）。
【００３７】
入力手段２０から入力される決定キー２７の押下の検出結果の入力を、抽出対象部分の始点位置の確定を通知する入力として、ＣＰＵ１０の抽出対象識別データ生成手段１３は、抽出データ識別ＩＤを生成する。抽出対象識別データ生成手段１３は、生成した抽出データ識別ＩＤを含む始点タグを、抽出対象部分の始点位置に挿入、すなわち、抽出対象のテキストデータにおいて、始点位置に始点タグを書き込む（ステップＳ５）。
【００３８】
また、抽出対象の始点位置に挿入する始点タグは、抽出対象部分の始点位置であることを示すタグである。また、この始点タグに含まれる抽出データ識別ＩＤにより、いずれの抽出対象部分の始点位置を示すタグであるかを示している。このタグの書式の一例として、「＜extract start="抽出データ識別ＩＤ"＞」を始点タグとして説明する。
始点タグの書き込み処理後、抽出対象識別データ生成手段１３は、終点位置選択モードの開始要求を表示制御手段１１に出力する。表示制御手段１１は、入力される終点位置選択モードの開始要求に基づき、終点位置選択モードを開始したことを示す画面を表示手段３０に表示させる（ステップＳ６）。
【００３９】
終点位置選択モードにおいて、ユーザによる方向キー２４の押下に基づくカーソル移動後、ユーザによる決定キー２７の押下を検出すると、入力手段２０は、検出結果をＣＰＵ１０に入力する（ステップＳ７）。
決定キー２７の押下を抽出対象部分の終点位置を確定を示す入力として、ＣＰＵ１０の抽出対象識別データ生成手段１３は、ステップＳ５において生成した抽出データ識別ＩＤを含む終点タグを、表示手段３０が表示するカーソル位置、すなわち、テキストデータの終点位置に終点タグを書き込む（ステップＳ８）。ここで、終点タグは、抽出対象部分の終点位置であることを示すタグである。また、終点タグに付与されている抽出データ識別ＩＤにより、いずれの抽出対象部分の始点タグに対応する終点タグであるかを示している。このタグの書式の一例として、「＜extract end="抽出データ識別ＩＤ"＞」を終点タグとして説明する。
【００４０】
終点タグの書き込み処理後、抽出対象識別データ生成手段１３は、テキストデータにおける抽出対象部分の文字情報を含む見出し語生成要求を見出し語生成手段１２に出力する。見出し語生成要求が入力されると、抽出データ分解手段１２１は、上述したように、抽出対象部分の文章の分解処理を行い、抽出した全ての単語を見出し語候補として一時記憶手段５０の分解データ一時記憶手段５１に書き込む（ステップＳ９）。
【００４１】
抽出データ分解手段１２１は、見出し語候補の書き込み処理後、分解データ判定手段１２２に判定要求を出力する。分解データ判定手段１２２は、入力される判定要求に基づき、一時記憶手段５０の分解データ一時記憶手段５１に記憶される見出し語候補を読み出し、上述のように、読み出した見出し語候補から見出し語に適さない単語である不適語の除外処理を行う（ステップＳ１０）。
抽出データ分解手段１２１は、不適語の除外処理後の見出し語候補を表示制御手段１１に出力する。表示制御手段１１は、入力された見出し語候補の一覧と、文字入力エリアとを表示手段３０に表示させる（ステップＳ１１）。
【００４２】
表示手段３０の表示に基づき、方向キー２４及び決定キー２７がユーザによって操作され、見出し語候補のいずれかが見出し語として選択される場合、ＣＰＵ１０の抽出対象識別データ生成手段１３は、選択された見出し語候補を見出し語情報とする（ステップＳ１２）。抽出対象識別データ生成手段１３は、見出し語情報と抽出データ識別ＩＤとを対応付けて抽出対象識別データを生成し、生成した抽出対象識別データを記憶手段４０の抽出データ記憶手段４２に記憶させる（ステップＳ１３）。
【００４３】
また、見出し語候補から見出し語が選択されず、文字キー２２がユーザによって操作され、当該文字キー２２が受ける入力操作に基づき入力手段２０が見出し語として文字情報をＣＰＵ１０に入力する場合、抽出対象識別データ生成手段１３は、入力された文字情報を見出し語情報とし、ステップＳ１３の処理に移行する（ステップＳ１４）。
【００４４】
次に、図５のフローチャートに示す抽出処理過程の実行例として、表示手段３０の画面遷移を図６〜図１２を用いて説明する。
図６の画面３１ａは、図５のステップＳ１におけるテキストデータの表示画面例である。図６の画面３１ａに示すように、テキストデータ記憶手段４１２が記憶するテキストデータや、辞書データ記憶手段４１１が記憶する辞書データなどが表示されている際に、ユーザによって抽出キー２３が入力されると、始点位置選択モードとして図７の画面３１ｂ（ステップＳ３）に遷移する。図７の画面３１ｂにおいて、表示手段３０は、ユーザに抽出開始位置の入力を要求する始点アイコンｂ１を表示するとともに、始点位置の選択入力のためのカーソルとしてカーソル枠ｂ２の矩形枠に示すように、テキストデータの先頭文字となる文字「Ｔ」を矩形枠内に表示する。
【００４５】
そして、ユーザによる方向キー２４の押下によって抽出対象部分の先頭文字にカーソルが移動し、決定キー２７の押下によって始点位置選択の入力が行われることとなる。
このとき、表示制御手段１１は、カーソルとして表示している現在の矩形枠部分を抽出対象部分の先頭文字部分として、抽出対象識別データ生成手段１３にカーソルの位置情報を抽出対象識別データ生成手段１３に入力する。
【００４６】
抽出対象識別データ生成手段１３による始点タグ書き込み処理後、表示制御手段１１は、図８の画面３１ｃを表示手段３０に表示させ、メッセージウインドウｃ２により、抽出対象部分の先頭文字である始点の設定完了をユーザに通知する。ここでは、例えば、抽出対象部分として、カーソル枠ｃ１に示す「ｔ」を先頭文字とする「the TR-700 became the first machine on the market」を図６の画面３１ａに表示されているテキストデータから抽出する場合について説明する。
【００４７】
始点設定の完了通知を表示後、図５のステップＳ６の終点選択モードとして、図９の画面３１ｄに示すように、ユーザに抽出終了位置の入力を要求する終点アイコンｄ１と、設定した抽出対象の先頭文字部分のカーソル枠ｄ２とを表示する。以下、始点位置の選択入力と同様に、ユーザによる方向キー２４の押下により、上述した抽出対象部分の最後尾文字「ｔ」に終点位置の選択入力のためのカーソルが移動し、決定キー２７の押下によって終点位置選択の入力が行われることとなる。
【００４８】
抽出対象識別データ生成手段１３による終点タグ書き込み処理後、表示制御手段１１は、図１０の画面３１ｅを表示手段３０に表示させ、メッセージウインドウｅ２により、カーソル枠ｅ１の位置の文字「ｔ」を抽出対象部分の最後尾文字として終点の設定の完了をユーザに通知する。
【００４９】
抽出データ分解手段１２１は、抽出対象部分の「the TR-700 became the first machine on the market」から、「the」「TR-700」「became」「the」「first」「machine」「on」「the」「market」の計９語を抽出する。これら９語それぞれについて、抽出データ分解手段１２１は、各単語の異なる形態を辞書データ記憶手段４１１から検索し、検索結果に基づき、「became」の原形となる「become」を抽出する。
このとき、抽出した９語と、その異なる形態の「become」とのうちから、「the」が重複して計３語存在することとなる。したがって、抽出データ分解手段１２１は、これを１語にまとめ、「the」「TR-700」「became」「become」「first」「machine」「on」「market」の計８語を見出し語候補として分解データ一時記憶手段５１に書き込む。
【００５０】
分解データ判定手段１２２は、分解データ一時記憶手段５１に書き込まれた見出し語候補の８語を読み出し、見出し不適語情報記憶手段４３が記憶する冠詞「the」と、前置詞「on」とを見出し語候補から除外する。そして、分解データ判定手段１２２は、冠詞「the」と、前置詞「on」とを除外した６語をアルファベット順に並べ替えた「became」「become」「first」「machine」「market」「TR-700」の６語を新たな見出し語候補として、分解データ一時記憶手段５１に記憶されている見出し語候補を書き換える。
【００５１】
図１１の画面３１ｆは、図５におけるステップＳ１１で表示する画面例である。図１１の画面３１ｆにおいて、文字入力エリアｆ１は、抽出対象部分のタイトルとなる見出し語をユーザが任意に文字キー２２によって入力するための、文字入力エリアである。また、下線ｆ２は、文字入力時におけるカーソル位置を示している。文字種別通知領域ｆ３は、入力対象の見出し語の入力文字種別を示しており、ここでは、かな漢字文字が入力可能であることを示している。
【００５２】
見出し語候補表示領域ｆ４は、見出し語生成手段１２によって抽出された見出し語の候補を一覧で表示する領域である。このとき、方向キー２４によって上下のいずれかの方向にカーソル移動させた場合に、見出し語候補表示領域ｆ４に示される見出し語候補のいずれかから、見出し語を選択することも可能である。通知領域ｆ５は、見出し語の入力／選択操作における操作方法を表示する領域である。なお、通知領域ｆ５に示すように、方向キー２４の左右のいずれかの入力により、文字種別通知領域ｆ３に示す入力文字種別をアルファベット、カタカナなどに切り換えることが可能である。
【００５３】
図１２は、見出し語候補から見出し語を選択することなく、文字キー２２の操作によってユーザが見出し語「電子辞書」を設定する場合の画面遷移を示す図である。図１２の画面３１ｇは、文字キー２２のユーザ操作に基づき、入力された文字「でんしじしょ」が文字入力エリアｇ１に表示された際の画面例である。画面３１ｈは、変換キー２６のユーザ入力操作に基づき、ＣＰＵ１０の基本機能である仮名漢字変換によって文字「でんしじしょ」が変換され、文字「電子辞書」が文字入力エリアｈ１に表示された状態を示している。画面３１ｉは、決定キー２７のユーザ入力操作に基づき、見出し語として「電子辞書」を設定したことを通知するメッセージウインドウｉ１を表示した画面例である。
【００５４】
＜検索処理過程＞
次に、本発明の一実施形態による電子辞書装置１の検索処理過程について説明する。図１３は、本実施形態における電子辞書装置１の検索処理過程の処理フローを示す。なお、ここでは、ＣＰＵ１０が、ユーザによる検索要求に基づいて、辞書データ記憶手段４１１が記憶する辞書データ、テキストデータ記憶手段４１２が記憶するテキストデータ、抽出データ記憶手段４２が記憶する抽出対象識別データから、検索語を含む検索用読み情報を持つ記事の検索処理を行う。検索処理過程の一例として、検索結果として複数の該当記事（辞書データ、テキストデータ、抽出対象識別データ）が得られ、このうち、抽出対象識別データに基づく抽出データが選択された場合についての処理について説明する。
【００５５】
なお、図１４、図１５は、検索処理過程において表示手段３０によって表示される画面の遷移を示している。
電子辞書装置１において、入力手段２０がユーザ操作に基づき、検索画面の表示要求をＣＰＵ１０に入力する。ＣＰＵ１０において、表示制御手段１１は、表示手段３０に検索画面を表示させる。検索画面が表示手段３０に表示されている際に、文字キー２２及び決定キー２７がユーザ操作によって押下されると、入力手段２０は、文字キー２２のユーザ操作に基づいた検索語を含む検索実行要求をＣＰＵ１０に入力する（ステップＳ２１）。
【００５６】
ＣＰＵ１０は、入力される検索実行要求に基づき、抽出対象データ記憶手段４１と抽出データ記憶手段４２とから、入力された検索語を含む見出し語が付与された辞書データ、テキストデータ、抽出データ識別情報を検索する（ステップＳ２２）。ＣＰＵ１０は、検索結果を表示制御手段１１に出力し、表示制御手段１１が、ステップＳ２２においてＣＰＵ１０の検索処理の結果を表示手段３０に表示させる（ステップＳ２３）。
【００５７】
ここで、表示手段３０に表示されている検索結果のうち、抽出データ識別情報の表示用見出し語が、ユーザによって表示（参照）要求対象として選択される。したがって、入力手段２０は、表示要求としてユーザによって操作される方向キー２４と決定キー２７との操作を検出し、検出結果である抽出対象部分の表示要求をＣＰＵ１０に出力する（ステップＳ２４）。
【００５８】
ＣＰＵ１０において、表示制御手段１１は、入力手段２０からの抽出対象部分の表示要求入力に基づき、表示対象の抽出対象部分の抽出対象識別データを抽出データ記憶手段４２から読み出す（ステップＳ２５）。表示制御手段１１は、読み出した抽出対象識別データに基づき、抽出元の記事を抽出対象データ記憶手段４１から読み出す。表示制御手段１１は、抽出元の記事から、抽出データ識別ＩＤが付与された始点タグと終点タグとで囲まれた範囲のの文字情報を抽出対象部分として読み出す（ステップＳ２６）。表示制御手段１１は、抽出対象データ記憶手段４１から読み出した抽出対象部分の文字情報と、抽出データ記憶手段４２から読み出した抽出対象識別データに基づく見出し語と、抽出元の記事へのリンク情報とを表示手段３０に表示させる（ステップＳ２７）。
【００５９】
ここで、ユーザによって入力手段２０が操作され、抽出元の記事の参照要求となる抽出元へのリンクが選択された場合、（ステップＳ２８）、表示制御手段１１は、抽出元のデータを抽出対象データ記憶手段４１から読み出す（ステップＳ２９）。表示制御手段１１は、読み出した抽出元のデータから、全ての始点タグと、終点タグとを除いたデータを生成することにより、タグ非表示処理を行い（ステップＳ３０）、タグ非表示処理を施したデータを表示手段３０に表示させる（ステップＳ３１）。
【００６０】
次に、図１３のフローチャートに示す検索処理過程の実行例における、表示手段３０の画面遷移を図面を用いて説明する。ここでは、図６〜図１２において、抽出処理を行った「電子辞書」という語句を検索キーとして検索した場合の例を示す。図１４は、図１３のステップＳ２１〜Ｓ２７の処理過程における画面遷移を示す図である。また、図１５は、図１３のステップＳ３１において表示される抽出元のデータが表示された場合の表示手段３０の画面例である。
【００６１】
図１４の画面３１Ａは、図１３のステップＳ２１〜Ｓ２３において、検索語「でんしじしょ」が文字入力エリアＡ１に入力され、その検索結果が表示された場合の表示手段３０の画面例である。文字種別通知領域Ａ２は、文字入力エリアＡ１における入力文字種別を示している。また、検索結果表示エリアＡ３には、検索語「でんしじしょ」を見出し語とする記事の検索結果が表示される。ここでは例として、辞書データ記憶手段４１１が記憶する国語辞典、百科事典、和英辞書、及び、抽出データ記憶手段４２が記憶する抽出データ識別情報から、それぞれ１件ずつ、計４件が検索された例を示している。また、プレビュー領域Ａ４に示す範囲には、検索結果表示エリアＡ３において矩形枠に示されるカーソル部分の記事の一部分をプレビューしている。通知領域Ａ５に示すエリアには、ユーザに操作方法を通知するための情報が表示されている。
【００６２】
画面３１Ｂは、画面３１Ａの検索結果表示エリアＡ３に表示された検索結果のうち、ユーザ操作による方向キー２４及び決定キー２７の入力に基づき、図１３のステップＳ２７において表示手段３０に表示された抽出対象部分の画面例である。データ種別通知領域Ｂ１は、現在表示している内容が、辞書データ、テキストデータ、抽出対象部分のデータのうち、いずれを参照しているかを通知する。また、記事表示フィールドＢ２は、見出し語「でんしじしょ（電子辞書）」と、リンク「元のテキストへ」と、抽出対象部分「the TR-700 became the first machine on the market」とを表示する領域である。
【００６３】
画面３１Ｃは、方向キー２４のユーザ操作に基づき、カーソル枠Ｃ１に示すように、リンク「元のテキストへ」にカーソルが移動した状態を示す表示手段３０の画面例である。このとき、決定キー２７がユーザによって押下される、すなわち、図１３のステップＳ２８においてリンクが選択された場合、図１５の画面３１Ｄに示すように、抽出元のデータが表示手段３０に表示されることとなる。
【００６４】
画面３１Ｄのデータ種別通知領域Ｄ１は、現在表示している抽出元のデータが、辞書データ、テキストデータ、抽出対象部分のデータのうち、いずれを参照しているかを通知する。表示制御手段１１は、記事表示フィールドＤ２に、抽出対象部分「the TR-700 became the first machine on the market」を先頭として、抽出元のデータを表示手段３０に表示させる。これにより、図１４の画面３１Ａのように、抽出元のデータを先頭から表示する場合に比して、ユーザに対して抽出対象部分を容易に認識させることが可能になるという効果がある。
【００６５】
上述した実施形態において、図１１の画面３１ｆの見出し語候補表示領域ｆ４に見出し語候補を表示し、いずれかを見出し語としてユーザに選択させるようにしたことにより、ユーザは抽出対象部分の見出し語を考え出すことなく、抽出対象部分の見出し語を決定することが可能になる効果がある。
【００６６】
また、図１１の画面３１ｆにおいて、文字入力エリアｆ１を設けることにより、文字キー２２の操作に基づき、抽出対象部分の見出し語をユーザが任意に入力することが可能になる。したがって、抽出対象部分に付与する見出し語として、抽出対象部分や、抽出元のデータの見出し語以外の語句を見出し語として設定することが可能になる効果がある。さらに、図６のように、英文のテキストデータの一部分を抽出対象部分とした場合であっても、見出し語として「電子辞書」を設定したように、抽出元のデータの言語種別によらず、ユーザにとって認識しやすい見出し語を設定することが可能になるという効果がある。
【００６７】
また、抽出対象部分に付与する見出し語は、汎用的、一般的な見出し語、すなわち、他のユーザにとって識別が容易な見出し語である必要はなく、電子辞書装置１の所有者であるユーザ自身にとって抽出対象部分の識別が容易であればよい。したがって、ユーザ自身に分かりやすい略語や、記号などを用いた語句を見出し語として設定することも可能である。
【００６８】
例えば、抽出対象部分を複数設定する場合、同様のジャンルの抽出対象部分の見出し語の一部に、同一の語、同一の記号などを付与してユーザが設定することができる。このとき、抽出データ記憶手段４２が記憶する全ての抽出対象部分の見出し語一覧からいずれかの抽出対象部分を選択して参照しようとする際、各見出し語に含まれるユーザによって入力されたジャンルごとの共通の語、共通の記号などに基づき、ユーザに抽出対象部分を識別しやすくさせることが可能になる効果がある。
【００６９】
また、上述したように、表示制御手段１１が抽出対象部分を識別する方法として、抽出データ識別ＩＤを付与した始点タグ及び終点タグを抽出対象データに書き込む構成とした。これにより、ユーザが、例えば、テキストデータ記憶手段４１２が記憶するテキストデータに対して、文章の挿入や、削除などの編集作業を行い、テキストデータ内での抽出対象部分の位置が変化しても、始点タグ及び終点タグに基づき、表示制御手段１１は、抽出対象部分を識別することが可能になるという効果がある。
【００７０】
上述の電子辞書装置１が抽出機能の提供することとしたことにより、頻繁に記事の一部分を参照する作業、例えば、単語帳機能の代用として、本実施形態における抽出機能を利用する場合に、記事全体から探すことなく、すぐに必要な記事部分をユーザが参照でき、検索に要する時間や手間を軽減させることが可能になるという効果がある。
【００７１】
なお、上述した実施形態において、抽出データ記憶手段４２が記憶する抽出対象識別データのテーブル構成において、抽出データ識別ＩＤは、抽出元識別情報と、数字部分とで１つの情報として構成されることとして説明したが、これに限られず、抽出元識別情報と、抽出データ識別ＩＤの数字部分とをそれぞれ独立の情報とするテーブルの構成であってもよい。
【００７２】
また、本実施形態において、抽出対象部分を識別する方法として、抽出データ識別ＩＤを付与した始点タグ及び終点タグを抽出対象データに書き込むこととしたが、これに限られず、抽出対象部分の始点位置及び、終点位置のメモリアドレスを用いることとしてもよい。このとき、抽出データ記憶手段４２が記憶する抽出対象識別データのテーブル例を図１６に示す。図１６の抽出対象識別データにおいて、抽出開始アドレス情報と、抽出終了アドレス情報と、抽出元リンク情報とが、図３の抽出対象識別データの抽出データ識別ＩＤに代替している点が異なる。
【００７３】
図１６の抽出開始アドレス情報は、抽出対象部分の始点位置の抽出対象データ記憶手段４１におけるメモリアドレス情報である。同様に、抽出終了アドレス情報は、抽出対象部分の終点位置の抽出対象データ記憶手段４１におけるメモリアドレス情報である。また、抽出元リンク情報は、抽出元の記事の識別情報である。
上述のように始点タグ、終点タグを用いずに、メモリアドレス情報を用いることにより、例えば、電子辞書装置１を製造するメーカと、辞書データ提供元とのライセンス契約内容により、辞書データの編集、改変などが禁止されている場合であっても、辞書データの編集、改変を行わずに電子辞書装置１は、抽出処理機能をユーザに提供することが可能になるという効果がある。また、メモリアドレス情報のほか、例えば、抽出対象部分の始点位置及び終点位置が、抽出対象データ記憶手段４１が記憶する抽出元の記事における何文字目に位置しているかを示す情報などを用いて抽出対象部分を識別することでもよい。
【００７４】
また、抽出データ記憶手段４２が記憶する抽出対象識別データは、抽出対象部分の文字情報を付加したテーブル構成としてもよい。これにより、図１３のステップＳ２７において、抽出対象部分を抽出対象データ記憶手段４１から読み出す処理を省略することが可能になるという効果がある。
また、本実施形態において示したように、抽出データ記憶手段４２が記憶する抽出対象識別データが抽出対象部分を含まないデータ構成であることにより、抽出データ記憶手段４２が記憶する抽出対象識別データのメモリ使用量を抑えることが可能になるという効果がある。
【００７５】
また、本実施形態において、見出し不適語情報記憶手段４３が記憶する情報は、見出し語として不適となる単語である見出し不適語として説明したが、これに限られず、例えば英単語であれば「前置詞」、「冠詞」、「助動詞」など、見出し語に不適となる品詞の情報を記憶することでもよい。見出し不適語情報記憶手段４３が記憶する情報に基づいて分解データ判定手段１２２が見出し語に設定される可能性が低い語を除外できる情報であれば、見出し不適語情報記憶手段４３がいずれの情報を記憶することでもよい。
また、本実施形態の図１１において、見出し語候補となる単語は、アルファベット順で表示することとしたが、これに限られず、例えば、抽出対象部分における単語の出現順でもよいし、いずれの順序によって表示してもよい。
【００７６】
また、本実施形態において、抽出データ分解手段１２１が行う単語の抽出処理において、辞書データ記憶手段４１１の辞書データに基づき、スペルチェック等を行うこととしてもよい。
また、本実施形態において、抽出対象データ記憶手段４１が辞書データ記憶手段４１１とテキストデータ記憶手段４１２とを備えることとしたが、これに限られず、テキストデータ記憶手段４１２を備えない構成や、テキストデータ記憶手段４１２にテキストデータの記事が記憶されていない構成としても適用可能である。このとき、辞書データ記憶手段４１１が記憶する辞書データのみを抽出対象データととして、電子辞書装置１は、抽出処理を実行する。
【００７７】
また、本実施形態において、ＣＰＵ１０は、図示しない基本機能処理手段が仮名漢字変換機能を備えていることとしたが、仮名漢字変換機能を用いない構成としてもよい。このとき、図１２の画面３１ｇの文字入力エリアｇ１に示す仮名漢字変換をしていない「でんしじしょ」を見出し語とする。また、図３の抽出データ記憶手段４２が記憶する抽出対象識別データのテーブルは、表示用見出し語の項目を設けないこととしてもよい。
また、本実施形態において、一例として、テキストデータ記憶手段４１２が記憶するテキストデータを抽出元の記事として抽出処理の動作を説明したが、辞書データ記憶手段４１１が記憶する辞書データを抽出元の記事として上述の抽出処理を適用することが可能である。
【００７８】
なお、本発明に記載の検索手段は、ＣＰＵ１０に対応する。また、本発明に記載の抽出対象のデータは、抽出対象データ記憶手段４１が記憶する辞書データとテキストデータとに対応し、本発明に記載の抽出対象部分の識別情報は、抽出データ識別ＩＤに対応する。
【００７９】
なお、上述の電子辞書装置１は、内部にコンピュータシステムを有している。そして、電子辞書装置１のＣＰＵ１０、入力手段２０、表示手段３０の動作の過程は、プログラムの形式でコンピュータ読み取り可能な記録媒体に記憶されており、このプログラムをコンピュータシステムが読み出して実行することによって、上記処理が行われる。ここでいう「コンピュータシステム」とは、ＣＰＵ及び各種メモリやＯＳ、周辺機器等のハードウェアを含むものである。
【００８０】
また、図５に示す各ステップを実現するためのプログラムをコンピュータ読み取り可能な記録媒体に記録して、また、図１３に示す各ステップを実現するためのプログラムをコンピュータ読み取り可能な記録媒体に記録して、また、図１における処理部の機能を実現するためのプログラムをコンピュータ読み取り可能な記録媒体に記録して、この記録媒体に記録されたプログラムをコンピュータシステムに読み込ませ、実行することにより、電子辞書装置１の抽出対象データ記憶手段４１が記憶する記事の一部分を抽出する処理を行ってもよい。
また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【００８１】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムに既に記録されているプログラムとの組合せで実現できるもの、いわゆる差分ファイル（差分プログラム）であっても良い。
【図面の簡単な説明】
【００８２】
【図１】本発明の一実施形態による電子辞書装置１の全体構成を示すブロック図である。
【図２】本発明の一実施形態による辞書データ記憶手段４１１が記憶する辞書データのデータ構成例である。
【図３】本発明の一実施形態による抽出データ記憶手段４２が記憶する抽出対象識別データのデータ構成例である。
【図４】本発明の一実施形態による電子辞書装置１の外観の構成例を示す図である。
【図５】本発明の一実施形態による電子辞書装置１の抽出処理過程の処理フローを示す。
【図６】本発明の一実施形態による抽出処理過程における表示手段３０の画面例である。
【図７】本発明の一実施形態による抽出処理過程における表示手段３０の画面例である。
【図８】本発明の一実施形態による抽出処理過程における表示手段３０の画面例である。
【図９】本発明の一実施形態による抽出処理過程における表示手段３０の画面例である。
【図１０】本発明の一実施形態による抽出処理過程における表示手段３０の画面例である。
【図１１】本発明の一実施形態による抽出処理過程における表示手段３０の画面例である。
【図１２】本発明の一実施形態による抽出処理過程における表示手段３０の画面例である。
【図１３】本発明の一実施形態による電子辞書装置１の検索処理過程の処理フローを示す。
【図１４】本発明の一実施形態による検索処理過程において表示手段３０によって表示される画面の遷移を示している。
【図１５】本発明の一実施形態による検索処理過程において表示手段３０によって表示される画面例を示している。
【図１６】本発明の他の実施形態による抽出対象識別データの構成例である。
【符号の説明】
【００８３】
１  電子辞書装置
１０  ＣＰＵ
１１  表示制御手段
１２  見出し語生成手段
１２１  抽出データ分解手段
１２２  分解データ判定手段
１３  抽出対象識別データ生成手段
２０  入力手段
３０  表示手段
４０  記憶手段
４１  抽出対象データ記憶手段
４１１  辞書データ記憶手段
４１２  テキストデータ記憶手段
４２  抽出データ記憶手段
４３  見出し不適語情報記憶手段
５０  一時記憶手段
５１  分解データ一時記憶手段
２１  ＯＮ／ＯＦＦキー
２２  文字キー
２３  抽出キー
２４  方向キー
２５  移動キー
２６  変換キー
２７  決定キー
【図１】
2009175941.tif 000003
【図２】
2009175941.tif 000004
【図３】
2009175941.tif 000005
【図４】
2009175941.tif 000006
【図５】
2009175941.tif 000007
【図６】
2009175941.tif 000008
【図７】
2009175941.tif 000009
【図８】
2009175941.tif 000010
【図９】
2009175941.tif 000011
【図１０】
2009175941.tif 000012
【図１１】
2009175941.tif 000013
【図１２】
2009175941.tif 000014
【図１３】
2009175941.tif 000015
【図１４】
2009175941.tif 000016
【図１５】
2009175941.tif 000017
【図１６】
2009175941.tif 000018